(57)【要約】【課題】金属プレートとタッチパネルの電極との間の絶縁強度を高めて、タッチパネルの電極に静電気による高電圧が印加されることを防止する。【解決手段】施工面６に形成される取付穴内Ｈに後部を収める形態で施工面６に取り付けられて、前面に凹部１ａが形成される器具本体１と、器具本体１の凹部１ａに前面を露出した状態で収納され、前面に文字及び図形を表示可能な液晶装置（表示部）２と、少なくとも１つの端面に電極３ｂが設けられて板状に形成され、液晶装置２の前面に重ねて配置されて器具本体１における凹部１ａの内壁に端面３ａが対向して設けられ、ユーザーからの操作入力を受け付けるタッチパネル（操作部）３と、器具本体１の外周に設けられる金属プレート５と、器具本体１における凹部１ａの開口周縁に沿って設けられて、金属プレート５とタッチパネル３の電極３ｂとの間を絶縁する絶縁手段とを備える。【選択図】図１
2010282434.tif 000002
【特許請求の範囲】
【請求項１】
施工面に形成される取付穴内に後部を収める形態で施工面に取り付けられて、前面に凹部が形成される器具本体と、
器具本体の凹部に前面を露出した状態で収納され、前面に文字及び図形を表示可能な表示部と、
少なくとも１つの端面に電極が設けられて板状に形成され、表示部の前面に重ねて配置されて器具本体における凹部の内壁に端面が対向して設けられ、ユーザーからの操作入力を受け付ける操作部と、
器具本体の外周に設けられる金属プレートと、
器具本体における凹部の開口周縁に沿って設けられて、金属プレートと操作部の電極との間を絶縁する絶縁手段とを備えることを特徴とする操作表示器。
【請求項２】
前記絶縁手段は、器具本体における凹部の内壁と操作部の端面との境界の前面を隠蔽するように貼り付けられる絶縁テープであることを特徴とする請求項１記載の操作表示器。
【請求項３】
前記絶縁手段は、凹部の開口周縁に沿って器具本体の前面から突設されるリブであることを特徴とする請求項１記載の操作表示器。
【請求項４】
前記絶縁手段は、器具本体における凹部の内壁と操作部の端面との境界の前面を隠蔽するように貼り付けられる絶縁テープと、凹部の開口周縁に沿って器具本体の前面から突設されるリブとで構成されることを特徴とする請求項１記載の操作表示器。
【発明の詳細な説明】
【技術分野】
【０００１】
本発明は、操作表示器に関するものである。
【背景技術】
【０００２】
従来から、操作部と表示部とを一体に備えた操作表示器が提供されている。
【０００３】
操作表示器は、例えば、通信によって負荷の監視制御を行う遠隔監視制御システムの監視制御装置に用いられる。この種の遠隔監視制御システムでは、操作表示器（監視制御装置）と、当該操作表示器に監視される一乃至複数の負荷（端末）とが、２線式の信号線によって接続されている。
【０００４】
操作表示器は、操作部がユーザーによって操作されることによって当該操作に応じた制御信号を信号線を介して負荷に送信して当該負荷の制御を行う。
【０００５】
また、操作表示器は、各負荷の状態を監視し、各負荷から信号線を介して受信する監視信号に基づいて各負荷の状態を表示する。なお、伝送装置をセンタ装置として設けて、操作表示器から送信される制御信号を当該伝送装置を介して負荷へ送信するものや、負荷から送信される監視信号を伝送装置を介して操作表示器へ送信するものもある。
【０００６】
上記伝送装置を備えた遠隔監視制御システムの一例として、図４に示すように、負荷として照明器具Ｌ１〜Ｌ４を備えたものがある。各照明器具Ｌ１〜Ｌ４は、リモコンリレーＲｙ１〜Ｒｙ４に接続されており、各リモコンリレーＲｙ１〜Ｒｙ４のオンオフによって電源（ＡＣ１００ないし２００Ｖ）の供給がオンオフされ、点灯・消灯制御される。
【０００７】
リモコンリレーＲｙ１〜Ｒｙ４のオンオフ制御は、リモコンリレーＲｙ１〜Ｒｙ４に接続された制御端末器３２によってなされる。ここで、リモコンリレーＲｙ１〜Ｒｙ４の駆動には、商用電源（ＡＣ１００Ｖ）を降圧して出力するリモコントランスＴｒ１から供給されている交流２４Ｖの電源が用いられる。
【０００８】
制御端末器３２は、２線式の信号線Ｌｓを介して伝送ユニット３０と接続される。信号線Ｌｓには、制御端末器３２の他、複数のスイッチＳ１、Ｓ２を備えた操作端末器３１と、操作表示器Ｂ（監視制御装置）とが接続されている。なお、図４の例では、制御端末器３２及び操作表示器Ｂはそれぞれ１台ずつ示しているが、実際にはそれぞれ複数台ずつ接続されるものとする。
【０００９】
伝送ユニット３０は、商用電源から電源（ＡＣ１００Ｖないし２００Ｖ）供給を受け、伝送信号を信号線Ｌｓに定期的に送出する。伝送信号としては例えば±２４Ｖの双極性のパルス幅変調信号が用いられる。操作表示器Ｂ並びに制御端末器３２、操作端末器３１では、この伝送信号を全波整流することによって内部電源を確保している。なお、操作表示器Ｂにおいては、リモコントランスＴｒ２を別途接続し、システム全体として電力が不足する場合、リモコントランスＴｒ２から交流２４Ｖの電源が供給されるようにしてもよい。
【００１０】
そして、上記遠隔監視制御システムでは、操作端末器３１のスイッチが操作されると、伝送ユニット３０においてこのスイッチに対応する端末のアドレス及び負荷番号が照合され、スイッチとの対応関係が設定されている負荷に接続された制御端末器３２に対して、負荷の制御を指示する伝送信号が伝送ユニット３０から伝送される。このような動作によって、スイッチのオンオフ情報を負荷の制御に反映させることができる。
【００１１】
また、操作表示器Ｂは、操作端末器３１に代わって各負荷の制御の指示を行うことができるとともに、負荷の状態を表示器に表示する。ここで、操作端末器Ｂは、各操作端末器３１が備えるスイッチの合計数と同数の回路数のスイッチを備え、信号線Ｌｓで伝送ユニット３０に接続されて全負荷Ｌ１〜Ｌ４の制御の指示を入力することができる。
【００１２】
上記操作表示器Ｂとしては、例えば、一面に表示面（液晶面）が形成された液晶装置（表示部）と、当該液晶装置の表示面に重ねて配置される透明板状のタッチパネル（操作部）とを備えたものが知られている（例えば、特許文献１参照）。
【００１３】
そして、操作表示器は、図５〜８に示すように、樹脂成型により前面に凹部１ａを有した略矩形箱型に形成されて電源ユニット９と共に施工面６に嵌め込まれる器具本体１と、当該器具本体１の凹部１ａに収納される略直方体型の液晶装置２と、当該液晶装置２の前面に重ねて配置される透明な略矩形板状のタッチパネル３と、液晶装置２の後面と凹部１ａとの間に収納される制御基板２０と、器具本体１の前面に設けられる略矩形枠状の銘板４と、器具本体１の外周に設けられる略矩形枠状の金属プレート５とから構成される。以下、図５における上下左右を基準とし、上下左右方向と直交する方向を前後方向として説明を行う。
【００１４】
器具本体１は、図８に示すように、前面が開口した略矩形箱型のボディ１１と、当該ボディ１１の前面を覆設する略平板状のカバー１２とから構成される。ボディ１１の内底面には、第一のコネクタ１１１が設けられて、当該第一のコネクタはボディ１１の底面を貫通し、ボディ１１の後面から露出する。
【００１５】
カバー１２は、略矩形枠状の開口１２１が開設されて当該開口１２１の周縁には、開口１２１に沿って段部１２２が形成されており、当該段部１２２はボディ１１の内面と共に凹部１ａを形成する。
【００１６】
液晶装置２は、器具本体１の凹部１ａ内に収納され、前面に液晶画面を有した略直方体型からなり、バックライトが一体化されるとともに多数の画素を縦横にマトリクス状に配列したマトリクス表示型のものが用いられ、画素の組み合わせによって文字や図形を表示する、
タッチパネル３は、透明なシート状部材に透明電極からなる接点部を多数個配列し、シート状部材に指などが触れた際にどの部位に触れたかを出力する抵抗感圧方式のものを用いており、端部３ａに電極３ｂが設けられている。そして、タッチパネル３は、カバー１２の段部１２２に貼り付けられた両面テープ１３によって、当該段部１２２に貼り付け固定される。これにより、タッチパネル３は、ボディ１１１内に設けられた液晶装置２に重ねて配置されると共に、端面３ａが凹部１ａの内壁に対向する。
【００１７】
そして、液晶装置２に表示される文字や図形の種類と、タッチパネル３における指が触れた場所との組み合わせにより、情報の入力が行われる。すなわち、液晶装置２とタッチパネル３とでタッチパネルディスプレイが構成される。
【００１８】
当該タッチパネルディスプレイは、ユーサーからの操作入力を受け付けるためのものであり、例えば、図９に示すように、液晶装置２に表示される複数の操作釦ｂ１〜ｂ８に対応するタッチパネル３の位置に負荷制御用スイッチが設けられている。つまり、ユーザーにおいては、負荷制御スイッチにタッチすることで、当該スイッチに対応する負荷の制御を行うことができる。
【００１９】
そして、負荷制御スイッチがタッチされると、制御基板２０へタッチパネル３から操作信号が送信され、制御基板２０が当該操作信号を制御信号へ変換して負荷へ送信することで、負荷は当該制御信号に基づいた動作を行う。
【００２０】
また、各負荷から送信される監視信号は制御基板２０が受信し、制御基板が監視信号を表示信号に変換した後に液晶装置２へ送信する。そして、液晶装置２は、当該表示信号に基づいた表示を行う。
【００２１】
銘板４は、操作表示器のアドレス等が印字され、器具本体１の前面にタッチパネル３を避けて貼り付けられた略矩形枠状の両面テープ７（図１０参照）によって固定されている。ここで、銘板４は略矩形枠状であることから、銘板４を器具本体１に貼り付けたとしても、液晶装置２における表示面が銘板４によって覆われないものとなっている。
【００２２】
電源ユニット９は、前面に凹部９ａが形成された略矩形箱型に形成されており、上面及び下面の前端からは上下方向へ取り付け板９２が延設されている。また、図１２に示すように、電源ユニット９の後面には、複数の端子９３が設けられており、電源供給用の給電線が接続される電源端子、または、信号線が接続される信号端子として用いられる。また、当該複数の端子９３の下方には、図１３に示すように、スライドスイッチからなり、伝送信号から内部電源を確保するモードとリモコントランスＴｒ２から電力供給を受けるモードとを切り替える電源切り替えスイッチＳＷが設けられている。
【００２３】
そして、器具本体１は、図１１に示すように、電源ユニット９の凹部９ａにボディ１１の後端がはめ込まれて、電源ユニット９と共に施工面６に形成される取付穴Ｈに後端を収める形態で施工面６に取り付けられる。ここで、電源ユニット９の凹部９ａにボディ１１がはめ込まれた際、凹部９ａに設けられる第二のコネクタ９１にボディ１１に設けられた第一のコネクタ１１１が挿し込まれて、当該第一、第二のコネクタ１１１、９１は電気的、機械的に接続される。
【００２４】
これにより、制御基板２０は、第一、第二のコネクタ１１１、９１を介して電源ユニット９の端子９３に電源線を介して接続される外部電源から駆動電源が供給され、更に、端子９３に通信線を介して接続される負荷から監視信号を受信する、または、負荷に対して制御信号を送信する。
【００２５】
金属プレート５は、電源ユニット９における取り付け板９２に形成される挿通孔９２ａに図示しないプレート用ねじが挿通して施工面に螺合することで固定されるプレート枠５１と、プレート用ねじ及び取付穴Ｈ及び取り付け板９２を覆い隠すための金属製のプレートカバー５２とを備える。
【００２６】
プレート枠５１は、略矩形枠状に形成された前板５１ａと、前板５１ａの周縁部から後方に延設されて器具本体１の周面を囲む保持片５１ｂとを備える。前板５１ａは、タッチパネル３の前面を露出させるため露出窓５１１が開設されるとともに、プレート用ねじが挿通する挿通孔５１２が貫設される。
【００２７】
プレートカバー５２は、プレート枠５１の前面を覆う前壁５２ａと、保持片５１ｂに対向する形でプレート枠５１を囲む周壁５２ｂとを備え、周壁５２ｂをプレート枠５１の保持片５１ｂに摺接させながらプレート枠５１の前面側よりプレート枠５１に嵌着される
プレート枠５１の保持片５１ｂと、プレートカバー５２の周壁５２ｂとの間の摩擦力及び図示しない取り付け手段により、プレートカバー５２はプレート枠５１に保持される。
【００２８】
プレートカバー５２の前壁５２ａには、タッチパネル３を露出させる露出窓５２１が開設される。当該露出窓５２１は、器具本体１の前面の寸法と略同一に形成され、器具本体１は、隙間無くプレートカバー５２の露出窓５２１に嵌まる。
【００２９】
プレート枠５１の前板５１ａからは、プレートカバー５２の前壁５２ａの後面と当接するスペーサ５１ｃが前方へ突設され、図８に示すように、プレートカバー５２の前壁５２ａが器具本体１の周面の前端部を囲む位置でスペーサ５１ｃはプレートカバー５２の前壁５２ａの後面に当接する。
【先行技術文献】
【特許文献】
【００３０】
【特許文献１】特開２００８−９７５０号公報
【発明の概要】
【発明が解決しようとする課題】
【００３１】
上記構成からなる操作表示器は、施工時や操作時においてユーザーが金属プレート５に触れることが考えられる。
【００３２】
しかしながら、ユーザーが帯電した状態で金属プレート５に触れた場合、静電気による高電圧（例えば、１５ｋＶ程度）が金属プレート５に印加され、図７の矢印で示すように、金属プレート５から器具本体１の表面に沿って両面テープ７内を通り抜け、タッチパネル３の端面に設けられた電極３ｂに高電圧が印加されてしまう。すると、タッチパネル３が誤った操作信号を出力して負荷が誤作動を起こす、または、タッチパネル３が絶縁破壊される虞がある。
【００３３】
本発明は、上記事由に鑑みてなされたものであり、その目的は、静電気による高電圧が金属プレートに印加されたとしても、タッチパネルの電極に高電圧が印加されることを防止することができる操作表示器を提供することにある。
【課題を解決するための手段】
【００３４】
請求項１の発明は、施工面に形成される取付穴内に後部を収める形態で施工面に取り付けられて、前面に凹部が形成される器具本体と、器具本体の凹部に前面を露出した状態で収納され、前面に文字及び図形を表示可能な表示部と、少なくとも１つの端面に電極が設けられて板状に形成され、表示部の前面に重ねて配置されて器具本体における凹部の内壁に端面が対向して設けられ、ユーザーからの操作入力を受け付ける操作部と、器具本体の外周に設けられる金属プレートと、器具本体における凹部の開口周縁に沿って設けられて、金属プレートと操作部の電極との間を絶縁する絶縁手段とを備えることを特徴とする。
【００３５】
この発明によれば、金属プレートと操作部の電極との間を絶縁する絶縁手段を設けることにより金属プレートと操作部の電極との間の絶縁強度を高めて、金属プレートに印加される静電気による高電圧が操作部の電極に印加されることを防止し、操作部が誤った操作信号を送信することによる負荷の誤作動、及び操作部が絶縁破壊されることを防止することができる。
【００３６】
請求項２の発明は、請求項１の発明において、前記絶縁手段は、器具本体における凹部の内壁と操作部の端面との境界の前面を隠蔽するように貼り付けられる絶縁テープであることを特徴とする。
【００３７】
この発明によれば、器具本体における凹部の内壁と操作部の端面との境界の前面を隠蔽するように絶縁テープを貼り付けることで、加工を施すことなく容易に金属プレートとタッチパネルの電極との間の絶縁強度が高められて、金属プレートに印加された静電気による高電圧が操作部の電極に印加されることを防止することができる。
【００３８】
請求項３の発明は、請求項１の発明において、前記絶縁手段は、凹部の開口周縁に沿って器具本体の前面から突設されるリブであることを特徴とする。
【００３９】
この発明によれば、器具本体の凹部の開口周縁に沿って器具本体の前面からリブを突設して、金属プレートから操作部の端面までの沿面距離を長くすることで、金属プレートとタッチパネルの電極との間の絶縁強度が高められて、金属プレートに印加された静電気による高電圧が操作部の電極に印加されることを防止することができる。
【００４０】
請求項４の発明は、請求項１の発明において、前記絶縁手段は、器具本体における凹部の内壁と操作部の端面との境界の前面を隠蔽するように貼り付けられる絶縁テープと、凹部の開口周縁に沿って器具本体の前面から突設されるリブとで構成されることを特徴とする。
【００４１】
この発明によれば、器具本体における凹部の内壁と操作部の端面との隙間を隠蔽するように絶縁テープを貼り付け、更に、凹部の開口周縁に沿って器具本体の前面からリブを突設することで、金属プレートと操作部の電極との間の絶縁強度を更に高めることができ、金属プレートに印加された静電気による高電圧が操作部の電極に印加されることをより一層防止することができる。
【発明の効果】
【００４２】
以上説明したように、本発明では、金属プレートと操作部の電極との間の絶縁強度を高めることで、金属プレートに印加された静電気による高電圧が操作部の電極に印加されることを防止して、操作部が誤った操作信号を送信することによる負荷の誤作動、及び操作部が絶縁破壊されることを防止することができるという効果がある。
【図面の簡単な説明】
【００４３】
【図１】本発明の実施形態１における操作表示器の要部拡大図を示す。
【図２】本発明の実施形態２における操作表示器の要部拡大図を示す
【図３】本発明の実施形態３における操作表示器の要部拡大図を示す
【図４】従来例における操作表示器を用いた遠隔監視制御システムの構成図を示す。
【図５】同上における操作表示器の斜視図を示す。
【図６】同上における操作表示器の断面図を示す。
【図７】同上における操作表示器の要部拡大図を示す。
【図８】同上における操作表示器の分解斜視図を示す。
【図９】同上における操作表示器から金属プレートを除いた正面図を示す。
【図１０】同上における操作表示器から銘板を除いた正面図を示す。
【図１１】同上における操作表示器と電源ユニットの斜視図を示す
【図１２】同上における操作表示器と電源ユニットの斜視図を示す
【図１３】同上における操作表示器に接続される電源ユニットの背面図を示す。
【発明を実施するための形態】
【００４４】
以下、本発明の実施の形態を図面に基づいて説明する。
【００４５】
（実施形態１）
本実施形態の操作表示器について図１を用いて説明を行う。但し、図５〜７に示す従来技術と共通する構造については、共通の符号を付して説明を省略する。なお、図１における上下左右を前後左右とし、前後左右方向と直交する方向を上下方向として説明を行う。
【００４６】
本実施形態における操作表示器は、図１に示すように、器具本体１の凹部１ａの内壁とタッチパネル３の端面３ａとの隙間１４を塞ぐように前面から絶縁テープ８が貼り付けられている点が、従来例で示した操作表示器と異なっている。
【００４７】
絶縁テープ８は、器具本体１に銘板４を貼り付けるための両面テープ７によって器具本体１と銘板４との間に両面テープ７の厚み分だけ形成される限られたスペースにおいて、前記隙間１４を塞ぐように貼り付けられる。そのため、絶縁テープ８の厚みは両面テープ７の厚み以下のものが用いられる。これにより、従来の操作表示器に特別な加工等を施すことなく容易に絶縁テープ８を貼り付けることができる。
【００４８】
ここで、施工時や操作時において帯電したユーザーが金属プレート５触れて、静電気による高電圧（例えば、１５ｋＶ程度）が金属プレート５に印加されたとしても、絶縁テープ８の絶縁強度が大きいため、タッチパネル３の電極３ｂに静電気による高電圧が印加されることを防止することができる。
【００４９】
よって、本実施形態の操作表示器では、絶縁テープ８によって金属プレート５とタッチパネル３の電極３ｂとの間の絶縁強度が高められて、金属プレート５に静電気による高電圧が印加されたとしても、タッチパネル３の電極３ｂに静電気による高電圧が印加されることを容易に防止することができ、タッチパネル３が誤った操作信号を送信することによる負荷の誤作動、及びタッチパネル３の絶縁破壊を防止することができる。
【００５０】
（実施形態２）
本実施形態の操作表示器について図２を用いて説明を行う。但し、図５〜７に示す従来技術と共通する構造については、共通の符号を付して説明を省略する。なお、図２における上下左右を前後左右とし、前後左右方向と直交する方向を上下方向として説明を行う。
【００５１】
本実施形態における操作表示器は、図２に示すように、器具本体１の凹部１ａの開口周縁に沿って器具本体１におけるカバー１２の前面からリブ１ｂが突設されている点が、従来例の操作表示器と異なっている。
【００５２】
リブ１ｂは、器具本体１に銘板４を貼り付けるための両面テープ７によって器具本体１と銘板４との間に両面テープ７の厚み分だけ形成される限られたスペースにおいて、先端が銘板４に干渉しない高さに形成されている。つまり、リブ１ｂは、器具本体１と銘板４との間において、器具本体１の前面から両面テープ７の厚み以下の高さに形成される。これにより、器具本体１のカバー１２以外の部品については、従来の部品を使用することができ、カバー１２についてもリブ１ｂを突設するだけでよい。
【００５３】
ここで、施工時や操作時において帯電したユーザーが金属プレート５触れて、静電気による高電圧（例えば、１５ｋＶ程度）が金属プレート５に印加されたとしても、リブ１ｂが形成されている分だけ従来の操作表示器よりも金属プレート５から器具本体１の表面に沿ってタッチパネル３の電極に達するまでの沿面距離が長くなっている。そのため、金属プレート５とタッチパネル３の電極３ｂとの間の絶縁強度が、従来よりも高いものとなっている。
【００５４】
よって、本実施形態の操作表示器では、リブ１ｂが形成されることで、金属プレート５とタッチパネル３の電極３ｂとの間の絶縁強度が高められて、金属プレート５に静電気による高電圧が印加されたとしても、タッチパネル３の電極３ｂに静電気による高電圧が印加されることを容易に防止することができ、タッチパネル３が誤った信号を送信することによる負荷の誤作動、及びタッチパネル３の絶縁破壊を防止することができる。
【００５５】
（実施形態３）
本実施形態の操作表示器について図３を用いて説明を行う。但し、図５〜７に示す従来技術と共通する構造については、共通の符号を付して説明を省略する。なお、図３における上下左右を前後左右とし、前後左右方向と直交する方向を上下方向として説明を行う。
【００５６】
本実施形態における操作表示器は、図３に示すように、器具本体１の凹部１ａの内壁とタッチパネル３の端面３ａとの隙間１４を塞ぐように前面から絶縁テープ８が貼り付けられて、更に、凹部１ａの開口周縁に沿って器具本体の前面からリブ１ｂが突設されている点が、従来例の操作表示器と異なっている。なお、絶縁テープ８及びリブ１ｂの構成については、実施形態１及び２と共通であるため、同様の符号を付して説明を省略する。
【００５７】
ここで、施工時や操作時において帯電したユーザーが金属プレート５触れて、静電気による高電圧（例えば、１５ｋＶ程度）が金属プレート５に印加されたとしても、リブ１ｂが形成されていることで、従来の操作表示器よりも金属プレート５から器具本体１の表面に沿ってタッチパネル３の電極に達するまでの沿面距離が長く、金属プレート５とタッチパネル３の電極３ｂとの間の絶縁強度が従来よりも高い。
【００５８】
更に、絶縁テープ８が貼り付けられていることで、金属プレート５とタッチパネル３の電極３ｂとの間の絶縁抵抗がより高められて、金属プレート５に印加された静電気による高電圧がタッチパネル３の電極３ｂに印加されることをより一層防止することができる。
【００５９】
従って、本実施形態の操作表示器は、金属プレート５とタッチパネル３の電極３ｂとの間の絶縁強度が、絶縁テープ８及びリブ１ｂによって一層高められて、タッチパネル３の電極３ｂに静電気による高電圧が印加されることを更に防止することができ、タッチパネル３が誤った信号を送信することによる負荷の誤作動、及びタッチパネル３の絶縁破壊を容易に防止することができる。
【符号の説明】
【００６０】
１  器具本体
１ａ  凹部
２  液晶装置（表示部）
３  タッチパネル（操作部）
３ａ  端面
３ｂ  電極
４  銘板
５  金属プレート
６  施工面
８  絶縁テープ
【図１】
2010282434.tif 000003
【図２】
2010282434.tif 000004
【図３】
2010282434.tif 000005
【図４】
2010282434.tif 000006
【図５】
2010282434.tif 000007
【図６】
2010282434.tif 000008
【図７】
2010282434.tif 000009
【図８】
2010282434.tif 000010
【図９】
2010282434.tif 000011
【図１０】
2010282434.tif 000012
【図１１】
2010282434.tif 000013
【図１２】
2010282434.tif 000014
【図１３】
2010282434.tif 000015